(57)【要約】      （修正有）【課題】成形工程中における平角導線の肩部と外型との過大な力での接触を抑制可能な同芯巻コイルの成形方法及び成形装置を提供する。【解決手段】所定複数巻数に周回された平角導線のコイルエンド部を成形する成形方法は、同芯巻コイルのコイルエンド部の形状を模して凹状に形成された外型４４を、セットされた平角導線に対して所定方向にストローク移動させることにより一工程で、平角導線のコイルエンド対応部位を、外型４４に取り付けられた、セットされる平角導線の積層方向に並んで配置されかつその積層方向に直交する直交方向に向いた加工面の端部から所定方向に向けて突出する複数のフィンの間に挿入することでその積層方向に向けて曲げ加工し、その後、外型４４の加工面で押圧することでその直交方向に向けて曲げ加工する。【選択図】図５
2015070760.tif 000002
【特許請求の範囲】
【請求項１】
所定複数巻数に周回された平角導線から、ステータコアの軸方向端面から突出するコイルエンド部が複数の相異なる非直線形状を有する同芯巻コイルを成形する成形方法であって、
前記同芯巻コイルの前記コイルエンド部の形状を模して凹状に形成された外型を、セットされた前記平角導線に対して所定方向にストローク移動させることにより一工程で、前記平角導線の、前記コイルエンド部に対応する対応部位を、前記外型に取り付けられた、セットされる前記平角導線の積層方向に並んで配置されかつ前記積層方向に直交する直交方向に向いた加工面の端部から前記所定方向に向けて突出する複数のフィンの間に挿入することで前記積層方向に向けて曲げ加工し、かつ、前記外型の前記加工面で押圧することで前記直交方向に向けて曲げ加工すると共に、
前記平角導線の前記対応部位の前記直交方向への曲げ加工は、前記積層方向への曲げ加工が完了した後に該対応部位を前記外型の前記加工面に接触させて該加工面で押圧することにより行われることを特徴とする同芯巻コイルの成形方法。
【請求項２】
前記外型、及び、前記同芯巻コイルの前記コイルエンド部の形状を模して凸状に形成された、該外型と対をなす内型をそれぞれ、セットされた前記平角導線に対して該外型と該内型との距離を狭める方向にストローク移動させることにより、前記平角導線の前記対応部位を、該外型の前記加工面と該内型の前記加工面とで挟み込むことで前記直交方向に向けて曲げ加工することを特徴とする請求項１記載の同芯巻コイルの成形方法。
【請求項３】
前記コイルエンド部における前記複数の相異なる非直線形状は、円環状に形成される前記ステータコアの円弧に合わせて形成される円弧形状と、前記平角導線の断面長辺方向に屈曲するエッジワイズ形状と、を少なくとも含み、
前記積層方向に向けた曲げ加工は、前記円弧形状を成形する円弧成形であり、
前記直交方向に向けた曲げ加工は、前記エッジワイズ形状を成形するエッジワイズ成形であることを特徴とする請求項１又は２記載の同芯巻コイルの成形方法。
【請求項４】
所定複数巻数に周回された平角導線から、ステータコアの軸方向端面から突出するコイルエンド部が複数の相異なる非直線形状を有する同芯巻コイルを成形する成形装置であって、
前記同芯巻コイルの前記コイルエンド部の形状を模して凹状に形成され、セットされる前記平角導線の積層方向に並んで配置される複数のフィン、及び、前記積層方向に直交する直交方向に向いた加工面を有する、該フィンが該加工面の端部から所定方向に向けて突出する外型と、
前記外型を、セットされた前記平角導線に対して前記所定方向にストローク移動させる外型移動機構と、を備え、
前記外型は、前記外型移動機構によるストローク移動により、前記平角導線の、前記コイルエンド部に対応する対応部位を、前記複数のフィンの間に挿入することで前記積層方向に向けて曲げ加工し、該積層方向への曲げ加工を完了した後に、前記対応部位を前記加工面に接触させて該加工面で押圧することで前記直交方向に向けて曲げ加工することを特徴とする同芯巻コイルの成形装置。
【請求項５】
前記同芯巻コイルの前記コイルエンド部の形状を模して凸状に形成され、前記直交方向に向いた加工面を有する、前記外型と対をなす内型と、
前記内型を、セットされた前記平角導線に対して前記所定方向にストローク移動させる内型移動機構と、を備え、
前記外型及び前記内型はそれぞれ、前記外型移動機構及び前記内型移動機構によって、セットされた前記平角導線に対して該外型と該内型との距離を狭める方向にストローク移動されることにより、前記対応部位を該外型の前記加工面と該内型の前記加工面とで挟み込んで前記直交方向に向けて曲げ加工することを特徴とする請求項４記載の同芯巻コイルの成形装置。
【請求項６】
前記コイルエンド部における前記複数の相異なる非直線形状は、円環状に形成される前記ステータコアの円弧に合わせて形成される円弧形状と、前記平角導線の断面長辺方向に屈曲するエッジワイズ形状と、を少なくとも含み、
前記積層方向に向けた曲げ加工は、前記円弧形状を成形する円弧成形であり、
前記直交方向に向けた曲げ加工は、前記エッジワイズ形状を成形するエッジワイズ成形であることを特徴とする請求項４又は５記載の同芯巻コイルの成形装置。
【発明の詳細な説明】
【技術分野】
【０００１】
本発明は、同芯巻コイルの成形方法及び成形装置に係り、特に、所定複数巻数に周回された平角導線から、ステータコアの軸方向端面から突出するコイルエンド部が複数の相異なる非直線形状に形成される同芯巻コイルを成形する成形方法及び成形装置に関する。
【背景技術】
【０００２】
従来、所定複数巻数に周回された平角導線から、ステータコアの軸方向端面から突出するコイルエンド部が複数の相異なる非直線形状に形成される同芯巻コイルを成形する成形方法及び成形装置が知られている（例えば、特許文献１参照）。この特許文献１記載の成形装置は、平角導線のコイルエンド対応部位を、周回の積層方向に向けてクランク成形すると共に、その積層方向に直交する直交方向に向けて曲げ加工する装置である。
【０００３】
上記の成形装置は、同芯巻コイルのコイルエンド部の形状を模して形成される、対をなす凹状の外型及び凸状の内型を備えている。外型及び内型はそれぞれ、平角導線の周回の積層方向に直交する直交方向に向いた加工面を有している。また、外型には、その加工面から内型側に向けて突出する複数のフィン（ブレード）が取り付けられている。複数のフィンは、外型に、セットされる平角導線の周回の積層方向に並んで配置されている。
【０００４】
上記の成形装置において、平角導線が内型にセットされた状態で外型と内型とが接近するようにストローク移動されると、まず、その平角導線のコイルエンド対応部位がフィン間に挿入されることで上記の積層方向に曲げ加工されると共に、その平角導線のコイルエンド対応部位が外型と内型とで挟み込まれることで上記の直交方向に曲げ加工される。
【先行技術文献】
【特許文献】
【０００５】
【特許文献１】特開２０１３−１８３５３４号公報
【発明の概要】
【発明が解決しようとする課題】
【０００６】
ところで、上記した特許文献１記載の成形装置及び成形方法では、平角導線のコイルエンド対応部位を上記の積層方向及び上記の直交方向に曲げ加工する成形工程中に、内型にセットされた平角導線が外型の凹部に嵌る。この平角導線の、外型の凹部への嵌合は、その平角導線のコイルエンド対応部位の、上記の積層方向及び上記の直交方向への曲げ加工が行われる前に行われる。
【０００７】
しかし、外型の凹部は、成形完了後の同芯巻コイルのコイルエンド部及びステータスロットに収容される両側のスロット部（直線部）の形状を模した幅を有するように（すなわち、両側壁間の距離が成形完了後の両側のスロット部の外側端同士の離間する距離に略等しくなるように）形成されている。一方、成形開始前の平角導線は、上記の積層方向への曲げによって幅が小さくなることを考慮して、その外型の凹部の幅よりも大きな幅を有している。このため、上記の如く平角導線の、外型の凹部への嵌合が上記の積層方向への曲げ加工が行われる前に行われるものとすると、その成形工程中に、平角導線のコイルエンド対応部位と両側のスロット部との境界付近の肩部が外型の凹部の側面ガイドに強く接触して、その肩部の皮膜が剥がれ或いはその肩部が損傷するなどの不都合が生ずる。
【０００８】
本発明は、上述の点に鑑みてなされたものであり、成形工程中における平角導線の肩部と外型との過大な力での接触を抑制することが可能な同芯巻コイルの成形方法及び成形装置を提供することを目的とする。
【課題を解決するための手段】
【０００９】
上記の目的は、所定複数巻数に周回された平角導線から、ステータコアの軸方向端面から突出するコイルエンド部が複数の相異なる非直線形状を有する同芯巻コイルを成形する成形方法であって、前記同芯巻コイルの前記コイルエンド部の形状を模して凹状に形成された外型を、セットされた前記平角導線に対して所定方向にストローク移動させることにより一工程で、前記平角導線の、前記コイルエンド部に対応する対応部位を、前記外型に取り付けられた、セットされる前記平角導線の積層方向に並んで配置されかつ前記積層方向に直交する直交方向に向いた加工面の端部から前記所定方向に向けて突出する複数のフィンの間に挿入することで前記積層方向に向けて曲げ加工し、かつ、前記外型の前記加工面で押圧することで前記直交方向に向けて曲げ加工すると共に、前記平角導線の前記対応部位の前記直交方向への曲げ加工は、前記積層方向への曲げ加工が完了した後に該対応部位を前記外型の前記加工面に接触させて該加工面で押圧することにより行われる同芯巻コイルの成形方法により達成される。
【００１０】
また、上記の目的は、所定複数巻数に周回された平角導線から、ステータコアの軸方向端面から突出するコイルエンド部が複数の相異なる非直線形状を有する同芯巻コイルを成形する成形装置であって、前記同芯巻コイルの前記コイルエンド部の形状を模して凹状に形成され、セットされる前記平角導線の積層方向に並んで配置される複数のフィン、及び、前記積層方向に直交する直交方向に向いた加工面を有する、該フィンが該加工面の端部から所定方向に向けて突出する外型と、前記外型を、セットされた前記平角導線に対して前記所定方向にストローク移動させる外型移動機構と、を備え、前記外型は、前記外型移動機構によるストローク移動により、前記平角導線の、前記コイルエンド部に対応する対応部位を、前記複数のフィンの間に挿入することで前記積層方向に向けて曲げ加工し、該積層方向への曲げ加工を完了した後に、前記対応部位を前記加工面に接触させて該加工面で押圧することで前記直交方向に向けて曲げ加工する同芯巻コイルの成形装置により達成される。
【発明の効果】
【００１１】
本発明によれば、成形工程中における平角導線の肩部と外型との過大な力での接触を抑制することができる。その結果、平角導線の肩部の皮膜が剥がれ或いはその肩部が損傷擦ることを防止することができる。
【図面の簡単な説明】
【００１２】
【図１】本発明の一実施例である同芯巻コイルからなるコイルアッシーが搭載されるステータの構成図である。
【図２】本実施例の同芯巻コイルを複数個用いてコイルアッシーを構成する手法を説明するための図である。
【図３】本実施例の同芯巻コイルの成形完了前の構成図である。
【図４】本実施例の同芯巻コイルの成形完了後の構成図である。
【図５】本実施例の同芯巻コイルの成形装置の斜視図である。
【図６】本実施例の同芯巻コイルの成形装置の平面図である。
【図７】本実施例の同芯巻コイルの成形装置が備える金型としての内型の構成図である。
【図８】本実施例の同芯巻コイルの成形装置が備える金型としての外型の構成図である。
【図９】本実施例の同芯巻コイルの成形装置が備えるフィンの構成図である。
【図１０】本実施例の同芯巻コイルの成形装置による成形完了後の斜視図である。
【図１１】本実施例の同芯巻コイルの成形装置による成形完了後の平面図である。
【発明を実施するための形態】
【００１３】
以下、図面を用いて、本発明に係る同芯巻コイルの成形方法及び成形装置の具体的な実施の形態について説明する。
【００１４】
図１は、本発明の一実施例である同芯巻コイルからなるコイルアッシーが搭載されるステータの構成図を示す。尚、図１（Ａ）にはステータの組付完了前の状態を、また、図１（Ｂ）にはステータの組付完了後の状態を、それぞれ示す。図２は、本実施例の同芯巻コイルを複数個用いてコイルアッシーを構成する手法を説明するための図を示す。尚、図２（Ａ）には２つの同芯巻コイルの組付完了前の状態を、また、図２（Ｂ）には２つの同芯巻コイルの組付完了後の状態を、それぞれ示す。図３は、本実施例の同芯巻コイルの成形完了前の構成図を示す。また、図４は、本実施例の同芯巻コイルの成形完了後の構成図を示す。尚、図３（Ａ）及び（Ｂ）並びに図４（Ａ）及び（Ｂ）には斜視図を、また、図３（Ｃ）及び図４（Ｃ）には平面図を、それぞれ示す。
【００１５】
本実施例において、ステータ１０は、例えば三相交流モータなどの回転電機に用いられ、回転子であるロータに対して径方向外側に所定のエアギャップを介して配置される固定子である。ステータ１０は、通電によってロータを回転させる磁界を発生する。ステータ１０は、ステータコア１２と、ステータコイル１４と、を備えている。ステータコア１２は、中空円筒状に形成された部材であって、絶縁コーティングされた複数の電磁鋼板を軸方向に積層して形成されている。尚、ステータコア１２の径方向外側面には、絶縁コーティングされた軟磁性体粉末を圧縮成型した材料で形成された円筒状のヨークが取り付けられてもよい。
【００１６】
ステータコア１２は、円環状に形成されるヨーク１６と、ヨーク１６の径方向内側面から径方向内側（軸中心側）に向けて突出するティース１８と、を有している。ティース１８は、ヨーク１６の径方向内側面において周方向に複数（例えば、図１に示す如く９６個）設けられており、周方向に沿って等間隔で設けられている。周方向に隣接する２つのティース１８の間には、スロット２０が形成されている。
【００１７】
各ティース１８にはそれぞれ、上記のステータコイル１４が巻回される。ステータコイル１４は、ステータコア１２の径方向内側において周方向に複数（例えば、図１に示す如く９６個）配設される。ステータコイル１４は、周方向に複数配設されることによりコイルアッシー２２を構成する。コイルアッシー２２は、複数のステータコイル１４により周方向に沿って円環状に形成される。コイルアッシー２２は、複数のステータコイル１４が収容されるスロット２０を周方向に一つずつずらしながら配置されると共に、周方向に隣り合うステータコイル１４同士が各ステータコイル１４の導線が周回する積層方向において重なり合うことにより構成される。
【００１８】
尚、各ステータコイル１４はそれぞれ、回転電機が例えば三相交流モータに適用される場合は、Ｕ相コイル、Ｖ相コイル、及びＷ相コイルの何れかを構成する。この場合、ステータコイル１４であるＵ相コイル、Ｖ相コイル、及びＷ相コイルは、周方向にその順でティース１８に巻回される。
【００１９】
ステータコア１２は、周方向に分割される複数（例えば、図１に示す如く４８個）の分割コア２４からなる。すなわち、ステータコア１２は、周方向に複数の分割コア２４に分割されている。すべての分割コア２４は、互いに同じ形状を有しており、具体的には、互いに同じ周方向角度分のヨーク１６と、２つのティース１８と、を含む形状を有している。
【００２０】
ステータ１０は、また、ステータコア１２とステータコイル１４との絶縁性を確保する絶縁部材２６を備えている。絶縁部材２６は、ステータコア１２の有する分割コア２４ごとに設けられている。絶縁部材２６は、分割コア２４の形状に合致した形状を有している。絶縁部材２６は、紙や樹脂（例えば、熱硬化性樹脂や熱可塑性樹脂など）などにより構成されており、分割コア２４とステータコイル１４との間に薄膜の絶縁層を形成する。
【００２１】
絶縁部材２６が装着された分割コア２４は、２つのティース１８の間のスロット２０にコイルアッシー２２の有するステータコイル１４が配置されるように、コイルアッシー２２に対して径方向外側から挿入される。そして、すべての分割コア２４がコイルアッシー２２に対して組み付けられると、ステータコア１２とステータコイル１４とが組み付けられたステータ１０が構成される。
【００２２】
ステータコイル１４は、断面が矩形状（具体的には、長方形）に形成された平角導線により構成されている。周方向に複数配設される各ステータコイル１４はそれぞれ、所定複数巻数（例えば５周）だけ周回された平角導線が曲げ加工されることにより成形される同芯巻コイルである。以下、ステータコイル１４の成形完了前の平角導線を平角導線２８と、また、成形完了後のステータコイル１４を同芯巻コイル１４と、それぞれ称す。
【００２３】
平角導線２８は、一本の直線状の素線が巻線装置の有する略六角形状の金型に巻き付けられることにより、図３に示す如く、所定複数巻数に周回された略六角形状に形成される。尚、平角導線２８の断面矩形状の角部はＲ加工されているのがよい。平角導線２８は、導電性の高い例えば銅やアルミニウム等の金属により構成されている。また、同芯巻コイル１４は、略六角形状の平角導線２８が後に詳述する成形装置を用いて曲げ加工されることにより、図４に示す如く、所定複数巻数に周回された略六角形状に形成される。
【００２４】
同芯巻コイル１４は、ステータコア１２のスロット２０内に収容されるスロット部３０，３２と、ステータコア１２の軸方向両端部から軸方向外側に向けて突出するコイルエンド部３４，３６と、を有している。スロット部３０，３２は、ステータコア１２のスロット２０を軸方向に貫くように略直線状に延びている。コイルエンド部３４，３６は、ステータコア１２の軸方向両端部に対して軸方向外側においてスロット部３０，３２同士を繋ぐように湾曲している。
【００２５】
成形完了前の平角導線２８は、同芯巻コイル１４のスロット部３０，３２に対応するスロット対応部位が略直線状に形成され、かつ、同芯巻コイル１４のコイルエンド部３４，３６に対応するコイルエンド対応部位が両側のスロット対応部位同士を繋いでそのコイルエンド対応部位の積層方向に並んだ導線同士が平行に並ぶように構成されている。平角導線２８の積層方向に並んだ導線のうち各段の、スロット対応部位及びコイルエンド部３６に対応するコイルエンド対応部位は、同じ平面上に形成されている。一方、平角導線２８の積層方向に並んだ導線のうち各段のコイルエンド部３４に対応するコイルエンド対応部位は、両側のスロット対応部位間を斜めに繋いで渡ることで平角導線２８の積層方向に並んだすべての導線についてそれぞれ一段のレーン変更を行うように形成されている。
【００２６】
同芯巻コイル１４の両端は、ステータコア１２の軸方向両端のうち、他の同芯巻コイル１４又は外部接続端子と接続するために同じ軸方向側（以下、軸方向リード側と称す。）に突出している。コイルエンド部３４は軸方向リード側に設けられ、また、コイルエンド部３６は軸方向リード側とは反対の軸方向反リード側に設けられる。以下、コイルエンド部３４をリード側コイルエンド部３４と、また、コイルエンド部３６を反リード側コイルエンド部３６と、それぞれ称す。スロット部３０は周方向一方側に設けられ、また、スロット部３２は周方向他方側に設けられる。以下、スロット部３０を一方側スロット部３０と、また、スロット部３２を他方側スロット部３２と、それぞれ称す。
【００２７】
スロット部３０，３２同士は、所定角度距離分だけ、軸回りの周方向に離間している。また、同芯巻コイル１４は、平角導線２８の断面短辺方向に複数本の導線が積層されるように構成されている。同芯巻コイル１４は、積層方向に隣り合う導線間に所定の隙間が形成されるように構成されている。同芯巻コイル１４は、スロット部３０，３２間の距離が積層方向位置に応じて変化するように断面台形状に形成されている。この断面台形状の形成は、同芯巻コイル１４のスロット部３０，３２をそれぞれ適切にスロット２０に収容するために行われる。同芯巻コイル１４は、導線の積層方向がステータコア１２の軸方向に直交する径方向に一致するようにステータコア１２に組み付けられる。
【００２８】
上記した同芯巻コイル１４において、平角導線２８の周回巻数が例えば“５”であるとき、反リード側コイルエンド部３６、一方側スロット部３０、及び他方側スロット部３２ではそれぞれ導線の積層数が５段となる一方、リード側コイルエンド部３４では導線の積層数が４段となる。
【００２９】
同芯巻コイル１４のコイルエンド部３４，３６はそれぞれ、複数の相異なる非直線形状に形成される。具体的には、コイルエンド部３４，３６はそれぞれ、３種類の非直線形状に形成されるものであって、平角導線２８の断面短辺方向に屈曲してステータコア１２の径方向に向けて階段状に屈曲するクランク形状に成形され（クランク成形）、円環状のステータコア１２の円弧に合わせて湾曲する円弧形状に成形されると共に（円弧成形）、平角導線２８の断面長辺方向に屈曲する屈曲状に成形される（エッジワイズ成形）。
【００３０】
上記のクランク成形及び円弧成形は、平角導線２８の周回の積層方向に向けた曲げ加工であり、また、上記のエッジワイズ成形は、平角導線２８の周回の積層方向に直交する直交方向に向けた曲げ加工である。上記のクランク成形は、平角導線２８の周回の積層方向への導線間のレーンチェンジのために行われる曲げ加工である。上記の円弧成形は、同芯巻コイル１４をスロット２０内に効率的に収容するために行われる曲げ加工である。また、エッジワイズ成形は、コイルアッシー２２が構成される際に複数の同芯巻コイル１４を効率的に配置するために行われる曲げ加工である。
【００３１】
次に、図５〜図１１を参照して、本実施例の同芯巻コイル１４の成形について説明する。
【００３２】
図５は、本実施例の同芯巻コイル１４の成形装置４０の斜視図を示す。尚、図５には同芯巻コイル１４の成形完了前の状態を示す。図６は、本実施例の同芯巻コイル１４の成形装置４０の平面図を示す。図７は、本実施例の同芯巻コイル１４の成形装置４０が備える金型としての内型の構成図を示す。図８は、本実施例の同芯巻コイル１４の成形装置４０が備える金型としての外型の構成図を示す。図９は、本実施例の同芯巻コイル１４の成形装置４０が備えるフィンの構成図を示す。尚、図７（Ａ）、図８（Ａ）、及び図９（Ａ）には斜視図を、また、図７（Ｂ）、図８（Ｂ）、及び図９（Ｂ）には平面図を、それぞれ示す。図１０は、本実施例の同芯巻コイル１４の成形装置４０による成形完了後の斜視図を示す。また、図１１は、本実施例の同芯巻コイル１４の成形装置４０による成形完了後の平面図を示す。
【００３３】
本実施例において、同芯巻コイル１４は、所定複数巻数に周回された略六角形状の平角導線２８を成形装置４０が曲げ加工することにより成形される。成形装置４０は、内型である内側金型４２と、外型である外側金型４４と、を備えている。内側金型４２は、セットされる平角導線２８の周回内に配置される金型であって、外周面側にセットされた平角導線２８を保持することが可能な金型である。また、外側金型４４は、セットされる平角導線２８の周回外に配置される金型である。
【００３４】
以下、成形装置４０において、内側金型４２にセットされた平角導線２８の、両側のコイルエンド対応部位を結ぶ方向（軸方向）を第一方向Ｘと、内側金型４２にセットされた平角導線２８の、両側のスロット対応部位の離間する方向を第二方向Ｙと、内側金型４２にセットされた平角導線２８の、周回の積層方向を第三方向Ｚと、それぞれ称す。尚、第一方向Ｘと第二方向Ｙと第三方向Ｚとは互いに直交する。
【００３５】
内側金型４２は、第１内側金型４２−１と、第２内側金型４２−２と、からなる。第１内側金型４２−１と第２内側金型４２−２とは、第一方向Ｘに離間して配置される。第１内側金型４２−１及び第２内側金型４２−２はそれぞれ、第三方向Ｚから見て略五角形状の山型に形成されている。第１内側金型４２−１は、セットされる平角導線２８の軸方向リード側に設けられる金型であり、また、第２内側金型４２−２は、セットされる平角導線２８の軸方向反リード側に設けられる金型である。
【００３６】
第１内側金型４２−１は、凸状に形成された凸型である。第１内側金型４２−１は、成形完了後の同芯巻コイル１４のリード側コイルエンド部３４の内周側の形状を模して形成された加工面４６、及び、その同芯巻コイル１４のスロット部３０，３２のリード側コイルエンド部３４との境界（肩部）付近の内周側の形状を模して形成された加工面４７を有している。
【００３７】
加工面４６は、第三方向Ｚに略直交する方向（略第一方向Ｘや第二方向Ｙ）に向いた面であって、第１内側金型４２−１の、同芯巻コイル１４のリード側コイルエンド部３４と対向する凸面４８に形成されている。加工面４６は、同芯巻コイル１４のリード側コイルエンド部３４すなわち平角導線２８の、リード側コイルエンド部３４に対応するリード側コイルエンド対応部位の断面短辺側の内周面が接する面である。加工面４６は、同芯巻コイル１４のリード側コイルエンド部３４の断面短辺側の内周面に沿った外形を有している。
【００３８】
加工面４７は、第三方向Ｚに略直交する方向（略第二方向Ｙ）に向いた加工面であって、第１内側金型４２−１の、同芯巻コイル１４のスロット部３０，３２と対向するように形成されている。加工面４７は、同芯巻コイル１４のスロット部３０，３２すなわち平角導線２８の、スロット部３０，３２に対応するスロット対応部位の断面短辺側の内周面が接する面である。加工面４７は、同芯巻コイル１４のスロット部３０，３２の断面短辺側の内周面に沿った外形を有している。
【００３９】
また、第２内側金型４２−２は、凸状に形成された凸型である。第２内側金型４２−２は、成形完了後の同芯巻コイル１４の反リード側コイルエンド部３６の内周側の形状を模して形成された加工面５０、及び、その同芯巻コイル１４のスロット部３０，３２の反リード側コイルエンド部３６との境界（肩部）付近の内周側の形状を模して形成された加工面５１を有している。
【００４０】
加工面５０は、第三方向Ｚに略直交する方向（略第一方向Ｘや第二方向Ｙ）に向いた面であって、第２内側金型４２−２の、同芯巻コイル１４の反リード側コイルエンド部３６と対向する凸面５２に形成されている。加工面５０は、同芯巻コイル１４の反リード側コイルエンド部３６すなわち平角導線２８の、反リード側コイルエンド部３６に対応する反リード側コイルエンド対応部位の断面短辺側の内周面が接する面である。加工面５０は、同芯巻コイル１４の反リード側コイルエンド部３６の断面短辺側の内周面に沿った外形を有している。
【００４１】
加工面５１は、第三方向Ｚに略直交する方向（略第二方向Ｙ）に向いた加工面であって、第２内側金型４２−２の、同芯巻コイル１４のスロット部３０，３２と対向するように形成されている。加工面５１は、同芯巻コイル１４のスロット部３０，３２すなわち平角導線２８の、スロット部３０，３２に対応するスロット対応部位の断面短辺側の内周面が接する面である。加工面５１は、同芯巻コイル１４のスロット部３０，３２の断面短辺側の内周面に沿った外形を有している。
【００４２】
外側金型４４は、第１外側金型４４−１と、第２外側金型４４−２、からなる。第１外側金型４４−１と第２外側金型４４−２とは、第一方向Ｘに離間して配置される。第１外側金型４４−１は、セットされる平角導線２８の軸方向リード側に設けられる金型であり、また、第２外側金型４４−２は、セットされる平角導線２８の軸方向反リード側に設けられる金型である。
【００４３】
第１外側金型４４−１と第２外側金型４４−２との第一方向Ｘの間には、上記の第１内側金型４２−１と第２内側金型４２−２とが並んで配置される。すなわち、第１外側金型４４−１と第１内側金型４２−１と第２内側金型４２−２と第２外側金型４４−２とは、第一方向Ｘにおいてその順で直列に配置される。第１外側金型４４−１と第１内側金型４２−１とは第一方向Ｘに離間して配置され、また、第２外側金型４４−２と第２内側金型４２−２とは第一方向Ｘに離間して配置される。
【００４４】
第１外側金型４４−１は、第１内側金型４２−１と対をなす凹状に形成された凹型である。第１外側金型４４−１は、成形完了後の同芯巻コイル１４のリード側コイルエンド部３４の外周側の形状を模して形成された加工面５４、及び、その同芯巻コイル１４のスロット部３０，３２のリード側コイルエンド部３４との境界（肩部）付近の外周側の形状を模して形成された加工面５５を有している。
【００４５】
加工面５４は、第三方向Ｚに略直交する方向（略第一方向Ｘや第二方向Ｙ）に向いた面であって、第１外側金型４４−１の、同芯巻コイル１４のリード側コイルエンド部３４と対向する凹面５６に形成されている。加工面５４は、同芯巻コイル１４のリード側コイルエンド部３４すなわち平角導線２８のリード側コイルエンド対応部位の断面短辺側の外周面が接する面である。加工面５４は、同芯巻コイル１４のリード側コイルエンド部３４の断面短辺側の外周面に沿った外形を有している。
【００４６】
加工面５５は、第三方向Ｚに略直交する方向（略第二方向Ｙ）に向いた加工面であって、第１外側金型４４−１の、同芯巻コイル１４のスロット部３０，３２と対向するように形成されている。加工面５５は、同芯巻コイル１４のスロット部３０，３２すなわち平角導線２８のスロット対応部位の断面短辺側の外周面が接する面である。加工面５５は、同芯巻コイル１４のスロット部３０，３２の断面短辺側の外周面に沿った外形を有している。
【００４７】
また、第２外側金型４４−２は、第２内側金型４２−２と対をなす凹状に形成された凹型である。第２外側金型４４−２は、成形完了後の同芯巻コイル１４の反リード側コイルエンド部３６の外周側の形状を模して形成された加工面５８、及び、その同芯巻コイル１４のスロット部３０，３２の反リード側コイルエンド部３６との境界（肩部）付近の外周側の形状を模して形成された加工面５９を有している。
【００４８】
加工面５８は、第三方向Ｚに略直交する方向（略第一方向Ｘや第二方向Ｙ）に向いた面であって、第２外側金型４４−２の、同芯巻コイル１４の反リード側コイルエンド部３６と対向する凹面６０に形成されている。加工面５８は、同芯巻コイル１４の反リード側コイルエンド部３６すなわち平角導線２８の反リード側コイルエンド対応部位の断面短辺側の外周面が接する面である。加工面５８は、同芯巻コイル１４の反リード側コイルエンド部３６の断面短辺側の外周面に沿った外形を有している。
【００４９】
加工面５９は、第三方向Ｚに略直交する方向（略第二方向Ｙ）に向いた加工面であって、第２外側金型４４−２の、同芯巻コイル１４のスロット部３０，３２と対向するように形成されている。加工面５９は、同芯巻コイル１４のスロット部３０，３２すなわち平角導線２８のスロット対応部位の断面短辺側の外周面が接する面である。加工面５９は、同芯巻コイル１４のスロット部３０，３２の断面短辺側の外周面に沿った外形を有している。
【００５０】
第１内側金型４２−１の加工面４６と第１外側金型４４−１の加工面５４とは、平角導線２８のリード側コイルエンド対応部位をエッジワイズ成形するのに適した形状に形成されている。第１内側金型４２−１と第１外側金型４４−１とは、平角導線２８のリード側コイルエンド対応部位をエッジワイズ成形する金型である。また、第２内側金型４２−２の加工面５０と第２外側金型４４−２の加工面５８とは、平角導線２８の反リード側コイルエンド対応部位をエッジワイズ成形するのに適した形状に形成されている。第２内側金型４２−２と第２外側金型４４−２とは、平角導線２８の反リード側コイルエンド対応部位をエッジワイズ成形する金型である。
【００５１】
第１外側金型４４−１は、複数のフィン６２を有している。複数のフィン６２を有する第１外側金型４４−１は、平角導線２８のリード側コイルエンド対応部位をクランク成形すると共に円弧成形する金型である。フィン６２は、第三方向Ｚに並んで複数配置されると共に、第二方向Ｙに二分されている。フィン６２は、第二方向Ｙに分割された第１フィン６２−１と第２フィン６２−２とからなる。第１フィン６２−１と第２フィン６２−２との間には、第二方向Ｙに隙間６４が形成されている。第１フィン６２−１と第２フィン６２−２とは、同数だけ設けられている。
【００５２】
第三方向Ｚに並んで配置されるフィン６２の数（すなわち、第１フィン６２−１の数及び第２フィン６２−２の数の各々）は、平角導線２８のリード側コイルエンド対応部位での導線の積層数よりも“１”だけ多い。例えば、平角導線２８の周回巻数が“５”であるとき、すなわち、平角導線２８のリード側コイルエンド対応部位での導線の積層数が“４”であるときは、第三方向Ｚに並んで配置されるフィン６２の数、第１フィン６２−１の数、及び第２フィン６２−２の数はそれぞれ、“５”である。
【００５３】
各第１フィン６２−１及び各第２フィン６２−２はそれぞれ、略矩形板状に形成されていると共に、円環状のステータコア１２の円弧に合わせてその板面に直交する方向（すなわち、第三方向Ｚ）に向けて円弧状に湾曲している。すべての第１フィン６２−１は、湾曲する板面が第三方向Ｚにおいて互いに対向するように配置される。また、すべての第２フィン６２−２は、湾曲する板面が第三方向Ｚにおいて互いに対向するように配置される。
【００５４】
第１外側金型４４−１のすべての第１フィン６２−１及びすべての第２フィン６２−２は、それらの第１フィン６２−１同士の隙間及び第２フィン６２−２同士の隙間が同芯巻コイル１４のリード側コイルエンド部３４の積層方向に積層される複数の導線を転写した形状（すなわち、クランク形状）に形成されるように、互いに同芯上に配置される。この第１フィン６２−１及び第２フィン６２−２の同芯配置は、それらの第１フィン６２−１同士の隙間及び第２フィン６２−２同士の隙間によって、平角導線２８のリード側コイルエンド対応部位を円弧成形するのに適した形状が形成されるように行われる。
【００５５】
また、すべての第１フィン６２−１とすべての第２フィン６２−２とは、隙間６４を介して第二方向Ｙにおいて互いに斜に対向するように配置される。この第１フィン６２−１と第２フィン６２−２との斜め配置は、それらの第１フィン６２−１と第２フィン６２−２との隙間６４によって、平角導線２８のリード側コイルエンド対応部位をクランク成形するのに適した形状が形成されるように行われる。具体的には、第１フィン６２−１と第２フィン６２−２との隙間６４によって、同芯巻コイル１４のリード側コイルエンド部３４の第二方向Ｙの略中央をクランク形状に成形することで両側のスロット部３０，３２間で０．５段のレーン変更を実施できるように行われる。
【００５６】
各第１フィン６２−１及び各第２フィン６２−２はそれぞれ、第１外側金型４４−１の本体６６に取り付け固定される。第１外側金型４４−１の本体６６には、フィン６２を取り付けるためのフィン穴６８が形成されている。フィン穴６８は、第１フィン６２−１及び第２フィン６２−２を外部から挿入するための第一方向Ｘに貫通する挿入穴であり、加工面５４が形成される第一方向Ｘに向いた凹面５６に開口している。
【００５７】
フィン穴６８は、第１フィン６２−１ごと及び第２フィン６２−２ごとにそれぞれ設けられている。各フィン穴６８はそれぞれ、本体６６の、すべての第１フィン６２−１及びすべての第２フィン６２−２が上記の如く適切に配置される位置に適切な形状で開けられている。例えば、第三方向Ｚにおいて湾曲するように開けられている。第１外側金型４４−１の凹面５６において、上記の加工面５４は、フィン穴６８の間に形成される。
【００５８】
第１外側金型４４−１の本体６６には、平角導線２８のスロット対応部位と一体に形成されている略直線状の両端を外部に取り出す取出穴７０，７２が形成されている。取出穴７０，７２は、第１内側金型４２−１にセットされた平角導線２８の両端が挿入される第一方向Ｘに貫通する挿入穴である。取出穴７０，７２は、平角導線２８が第１内側金型４２−１に適切にセットされた際にその平角導線２８の両端を外部に適切に取り出せる位置に適切な形状で開けられている。取出穴７０は、平角導線２８の一方側スロット部３０側の端部を取り出すための穴であり、また、取出穴７２は、平角導線２８の他方側スロット部３２側の端部を取り出すための穴である。
【００５９】
第１外側金型４４−１の本体６６には、また、第１フィン６２−１をボルト固定するためのボルト穴７４、及び、第２フィン６２−２をボルト固定するためのボルト穴７６が形成されている。各第１フィン６２−１にはそれぞれ、ボルト固定するためのボルト穴７８が形成されている。また、各第２フィン６２−２にはそれぞれ、ボルト固定するためのボルト穴８０が形成されている。
【００６０】
各第１フィン６２−１はそれぞれ、第１外側金型４４−１の本体６６のフィン穴６８に挿入された後、その本体６６のボルト穴７４及び自第１フィン６２−１のボルト穴７８に挿入されたボルトによって締結されることにより、第１外側金型４４−１の本体６６に取り付け固定される。また、各第２フィン６２−２はそれぞれ、第１外側金型４４−１の本体６６のフィン穴６８に挿入された後、その本体６６のボルト穴７６及び自第２フィン６２−２のボルト穴８０に挿入されたボルトによって締結されることにより、第１外側金型４４−１の本体６６に取り付け固定される。
【００６１】
各第１フィン６２−１及び各第２フィン６２−２はそれぞれ、第１外側金型４４−１の本体６６に取り付け固定された場合に、本体６６の凹面５６すなわち加工面５４から第１内側金型４２−１側へ向けて突出する。かかる本体６６への取り付け固定がなされた場合、各第１フィン６２−１及び各第２フィン６２−２それぞれの第一方向Ｘ側の先端は、第１外側金型４４−１の第１内側金型４２−１側の端部（すなわち、凹面５６及び加工面５４の全体の、第１内側金型４２−１側の端部）よりもその第１内側金型４２−１寄りの前方に位置する。
【００６２】
尚、上記した第１及び第２フィン６２−１，６２−２の、本体６６の凹面５６すなわち加工面５４からの突出量すなわちその先端の位置は、それらのフィン６２の存在によって、エッジワイズ成形の開始時における平角導線２８のコイルエンド対応部位の形状を所望のクランク形状及び円弧形状に近づけることができるものであればよい。
【００６３】
各第１フィン６２−１それぞれの、第２フィン６２−２と隙間６４を介して対向する第二方向Ｙ側の先端部、及び、第１内側金型４２−１側に面する第一方向Ｘ側の先端部はそれぞれ、テーパ状に形成されている。また、各第２フィン６２−２それぞれの、第１フィン６２−１と隙間６４を介して対向する第二方向Ｙ側の先端部、及び、第１内側金型４２−１側に面する第一方向Ｘ側の先端部はそれぞれ、テーパ状に形成されている。このフィン６２のテーパ形状は、平角導線２８のリード側コイルエンド対応部位について第三方向Ｚに向けたクランク成形及び円弧成形を行ううえでその平角導線２８の積層方向の各導線をフィン６２間の隙間に挿入し易くする機能を有する。
【００６４】
また、第１内側金型４２−１には、第一方向Ｘに貫通する貫通穴８２が形成されている。貫通穴８２は、第一方向Ｘと共に第二方向Ｙにも開口している。貫通穴８２は、平角導線２８から同芯巻コイル１４が成形される過程で、第１外側金型４４−１の凹面５６から第１内側金型４２−１側に向けて突出するフィン６２が挿入される逃げ穴である。貫通穴８２は、フィン６２ごと（第１フィン６２−１ごと及び第２フィン６２−２ごと）にそれぞれ設けられている。各貫通穴８２はそれぞれ、第１内側金型４２−１の、第１外側金型４４−１に設けられたすべてのフィン６２が適切に挿入される位置に適切な形状で開けられている。
【００６５】
第１内側金型４２−１は、複数の貫通穴８２の存在により、フィン状に形成されたフィン状部８３を有している。フィン状部８３は、平角導線２８の積層方向の段数と同じ数だけ設けられている。第１内側金型４２−１の凸面４８において、上記の加工面４６は、貫通穴８２の間に形成される。この加工面４６は、第１内側金型４２−１に形成されるフィン状部８３の、第一方向Ｘに向いた面である。
【００６６】
更に、第２外側金型４４−２は、複数のフィン８４を有している。複数のフィン８４を有する第２外側金型４４−２は、平角導線２８の反リード側コイルエンド対応部位をクランク成形すると共に円弧成形する金型である。フィン８４は、第三方向Ｚに並んで複数配置されると共に、第二方向Ｙに二分されている。フィン８４は、第二方向Ｙに分割された第３フィン８４−１と第４フィン８４−２とからなる。第３フィン８４−１と第４フィン８４−２との間には、第二方向Ｙに隙間８６が形成されている。第３フィン８４−１と第４フィン８４−２とは、同数だけ設けられている。
【００６７】
第三方向Ｚに並んで配置されるフィン８４の数（すなわち、第３フィン８４−１の数及び第４フィン８４−２の数の各々）は、平角導線２８の反リード側コイルエンド対応部位での導線の積層数よりも“１”だけ多い。例えば、平角導線２８の周回巻数が“５”であるとき、すなわち、平角導線２８の反リード側コイルエンド対応部位での導線の積層数が“５”であるときは、第三方向Ｚに並んで配置されるフィン８４の数、第３フィン８４−１の数、及び第４フィン８４−２の数はそれぞれ、“６”である。
【００６８】
各第３フィン８４−１及び各第４フィン８４−２はそれぞれ、略矩形板状に形成されていると共に、円環状のステータコア１２の円弧に合わせてその板面に直交する方向（すなわち、第三方向Ｚ）に向けて円弧状に湾曲している。すべての第３フィン８４−１は、湾曲する板面が第三方向Ｚにおいて互いに対向するように配置される。また、すべての第４フィン８４−２は、湾曲する板面が第三方向Ｚにおいて互いに対向するように配置される。
【００６９】
第２外側金型４４−２のすべての第３フィン８４−１及びすべての第４フィン８４−２は、それらの第３フィン８４−１同士の隙間及び第４フィン８４−２同士の隙間が同芯巻コイル１４の反リード側コイルエンド部３６の積層方向に積層される複数の導線を転写した形状（すなわち、クランク形状）に形成されるように、互いに同芯上に配置される。この第３フィン８４−１及び第４フィン８４−２の同芯配置は、それらの第３フィン８４−１同士の隙間及び第４フィン８４−２同士の隙間によって、平角導線２８の反リード側コイルエンド対応部位を円弧成形するのに適した形状が形成されるように行われる。
【００７０】
また、すべての第３フィン８４−１とすべての第４フィン８４−２とは、隙間８６を介して第二方向Ｙにおいて互いに斜に対向するように配置される。この第３フィン８４−１と第４フィン８４−２との斜め配置は、それらの第３フィン８４−１と第４フィン８４−２との隙間８６によって、平角導線２８の反リード側コイルエンド対応部位をクランク成形するのに適した形状が形成されるように行われる。具体的には、第３フィン８４−１と第４フィン８４−２との隙間８６によって、同芯巻コイル１４の反リード側コイルエンド部３６の第二方向Ｙの略中央をクランク形状に成形することで両側のスロット部３０，３２間で０．５段のレーン変更を実施できるように行われる。
【００７１】
各第３フィン８４−１及び各第４フィン８４−２はそれぞれ、第２外側金型４４−２の本体８８に取り付け固定される。第２外側金型４４−２の本体８８には、フィン８４を取り付けるためのフィン穴９０が形成されている。フィン穴９０は、第３フィン８４−１及び第４フィン８４−２を外部から挿入するための第一方向Ｘに貫通する挿入穴であり、加工面５８が形成される第一方向Ｘに向いた凹面６０に開口している。
【００７２】
フィン穴９０は、第３フィン８４−１ごと及び第４フィン８４−２ごとにそれぞれ設けられている。各フィン穴９０はそれぞれ、本体８８の、すべての第３フィン８４−１及びすべての第４フィン８４−２が上記の如く適切に配置される位置に適切な形状で開けられている。例えば、第三方向Ｚにおいて湾曲するように開けられている。第２外側金型４４−２の凹面６０において、上記の加工面５８は、フィン穴９０の間に形成される。
【００７３】
第２外側金型４４−２の本体８８には、また、第３フィン８４−１をボルト固定するためのボルト穴９２、及び、第４フィン８４−２をボルト固定するためのボルト穴９４が形成されている。各第３フィン８４−１にはそれぞれ、ボルト固定するためのボルト穴（図示せず）が形成されている。また、各第４フィン８４−２にはそれぞれ、ボルト固定するためのボルト穴（図示せず）が形成されている。
【００７４】
各第３フィン８４−１はそれぞれ、第２外側金型４４−２の本体８８のフィン穴９０に挿入された後、その本体８８のボルト穴９２及び自第３フィン８４−１のボルト穴に挿入されたボルトによって締結されることにより、第２外側金型４４−２の本体８８に取り付け固定される。また、各第４フィン８４−２はそれぞれ、第２外側金型４４−２の本体８８のフィン穴９０に挿入された後、その本体８８のボルト穴９４及び自第４フィン８４−２のボルト穴に挿入されたボルトによって締結されることにより、第２外側金型４４−２の本体８８に取り付け固定される。
【００７５】
各第３フィン８４−１及び各第４フィン８４−２はそれぞれ、第２外側金型４４−２の本体８８に取り付け固定された場合に、本体８８の凹面６０すなわち加工面５８から第２内側金型４２−２側へ向けて突出する。かかる本体８８への取り付け固定がなされた場合、各第３フィン８４−１及び各第４フィン８４−２それぞれの第一方向Ｘ側の先端は、第２外側金型４４−２の第２内側金型４２−２側の端部（すなわち、凹面６０及び加工面５８の全体の、第２内側金型４２−２側の端部）よりもその第２内側金型４２−２寄りの前方に位置する。
【００７６】
尚、上記した第３及び第４フィン８４−１，８４−２の、本体８８の凹面６０すなわち加工面５８からの突出量すなわちその先端の位置は、それらのフィン８４の存在によって、エッジワイズ成形の開始時における平角導線２８のコイルエンド対応部位の形状を所望のクランク形状及び円弧形状に近づけることができるものであればよい。
【００７７】
各第３フィン８４−１それぞれの、第４フィン８４−２と隙間８６を介して対向する第二方向Ｙ側の先端部、及び、第２内側金型４２−２側に面する第一方向Ｘ側の先端部はそれぞれ、テーパ状に形成されている。また、各第４フィン８４−２それぞれの、第３フィン８４−１と隙間８６を介して対向する第二方向Ｙ側の先端部、及び、第２内側金型４２−２側に面する第一方向Ｘ側の先端部はそれぞれ、テーパ状に形成されている。このフィン８４のテーパ形状は、平角導線２８の反リード側コイルエンド対応部位について第三方向Ｚに向けたクランク成形及び円弧成形を行ううえでその平角導線２８の積層方向の各導線をフィン８４間に挿入し易くする機能を有する。
【００７８】
また、第２内側金型４２−２には、第一方向Ｘに貫通する貫通穴９６が形成されている。貫通穴９６は、第一方向Ｘと共に第二方向Ｙにも開口している。貫通穴９６は、平角導線２８から同芯巻コイル１４が成形される過程で、第２外側金型４４−２の凹面６０から第２内側金型４２−２側に向けて突出するフィン８４が挿入される逃げ穴である。貫通穴９６は、フィン８４ごと（第３フィン８４−１ごと及び第４フィン８４−２ごと）にそれぞれ設けられている。各貫通穴９６はそれぞれ、第２内側金型４２−２の、第２外側金型４４−２に設けられたすべてのフィン８４が適切に挿入される位置に適切な形状で開けられている。
【００７９】
第２内側金型４２−２は、複数の貫通穴９６の存在により、フィン状に形成されたフィン状部９７を有している。フィン状部９７は、平角導線２８の積層方向の段数と同じ数だけ設けられている。第２内側金型４２−２の凸面５２において、上記の加工面５０は、貫通穴９６の間に形成される。この加工面５０は、第２内側金型４２−２に形成されるフィン状部９７の、第一方向Ｘに向いた面である。
【００８０】
上記の成形装置４０において、上記の如く、第１外側金型４４−１と第１内側金型４２−１と第２内側金型４２−２と第２外側金型４４−２とは、第一方向Ｘにおいてその順で直列に配置される。これらの第１外側金型４４−１、第１内側金型４２−１、第２内側金型４２−２、及び第２外側金型４４−２はそれぞれ、基台に対して第一方向Ｘに向けてストローク移動可能に取り付けられる。
【００８１】
第１外側金型４４−１は移動機構１００により、第１内側金型４２−１は移動機構１０２により、第２内側金型４２−２は移動機構１０４により、また、第２外側金型４４−２は移動機構１０６により、それぞれ基台に対して第一方向Ｘに向けてストローク移動される。移動機構１００，１０２，１０４，１０６にはそれぞれ、マイクロコンピュータを主体に構成されたコントローラ１１０が電気的に接続されている。
【００８２】
コントローラ１１０は、成形装置４０にセットされた平角導線２８を曲げ加工して同芯巻コイル１４を成形するうえで必要な動作を成形装置４０に実行させる制御装置であって、かかる動作指令を移動機構１００，１０２，１０４，１０６に対して行う。尚、かかる動作指令は、平角導線２８が成形装置４０にセットされた後に所定のスイッチ操作が行われた場合に行われるものとすればよい。各移動機構１００，１０２，１０４，１０６はそれぞれ、コントローラ１１０からの指令に従って金型４４−１，４２−１，４２−２，４４−２を基台に対して第一方向Ｘに向けてストローク移動させる。
【００８３】
尚、本実施例においては、第１内側金型４２−１、第２内側金型４２−２、第１外側金型４４−１、及び第２外側金型４４−２のすべてが移動機構１００，１０２，１０４，１０６により第一方向Ｘに移動されるが、何れかの金型４２−１，４２−２，４４−１，４４−２が基台に対して固定されるものとしてもよい。
【００８４】
本実施例において、平角導線２８が成形装置４０にセットされる前、第１外側金型４４−１及び第２外側金型４４−２は、両金型４４−１，４４−２が互いに所定の最大距離離間するように位置されると共に、第１内側金型４２−１及び第２内側金型４２−２は、両金型４２−１，４２−２が所定の最小距離離間するように位置される。この際、第１外側金型４４−１と第１内側金型４２−１との間、及び、第２外側金型４４−２と第２内側金型４２−２との間にはそれぞれ、第１の方向に平角導線２８をセットするのに必要十分な隙間が形成される。
【００８５】
かかる状態で、まず、略六角形状の平角導線２８が内側金型４２にセットされる。この際、平角導線２８は、第１内側金型４２−１及び第２内側金型４２−２の外周面側に保持される。また、この際、平角導線２８は、第三方向Ｚの位置が、その平角導線２８を内側金型４２と外側金型４４とで曲げ加工するのに最適なものとなるように保持される。
【００８６】
上記の如く平角導線２８が内側金型４２にセットされると、次に、第１内側金型４２−１と第２内側金型４２−２とが互いに離間するように第一方向Ｘに向けてストローク移動されると共に、第１外側金型４４−１が第１内側金型４２−１に接近するように第一方向Ｘに向けてストローク移動され、かつ、第２外側金型４４−２が第２内側金型４２−２に接近するように第一方向Ｘに向けてストローク移動される。
【００８７】
すなわち、平角導線２８のセット後、第１内側金型４２−１と第１外側金型４４−１とが互いに接近してその平角導線２８のリード側コイルエンド対応部位を挟むように第一方向Ｘに向けてストローク移動され、かつ、第２内側金型４２−２と第２外側金型４４−２とが互いに接近してその平角導線２８の反リード側コイルエンド対応部位を挟むように第一方向Ｘに向けてストローク移動される。
【００８８】
尚、第１内側金型４２−１のストローク移動と第２内側金型４２−２のストローク移動とは略同時に行われ、また、第１外側金型４４−１のストローク移動と第２外側金型４４−２のストローク移動とは略同時に行われる。更に、第１内側金型４２−１のストローク移動と第１外側金型４４−１のストローク移動とは同期して行われ、また、第２内側金型４２−２のストローク移動と第２外側金型４４−２のストローク移動とは同期して行われる。
【００８９】
第１外側金型４４−１が第１内側金型４２−１に接近するように第一方向Ｘに向けてストローク移動される過程では、内側金型４２に保持された平角導線２８のリード側コイルエンド対応部位での第三方向Ｚに並んだ各段の導線が、第１外側金型４４−１のフィン６２間の隙間に進入する。尚、かかるストローク移動の過程で、第１外側金型４４−１のフィン６２は、第１内側金型４２−１の貫通穴８２に挿入される。
【００９０】
上記の如く、各第１及び第２フィン６２−１，６２−２それぞれの、第２又は第１フィン６２−２，６２−１と隙間６４を介して対向する第二方向Ｙ側の先端部、及び、第１内側金型４２−１側に面する第一方向Ｘ側の先端部はそれぞれ、テーパ状に形成されている。このため、平角導線２８のリード側コイルエンド対応部位での各段の導線は、第１外側金型４４−１のフィン６２の先端テーパ面によりフィン６２間の隙間に滑らかに進入するので、かかる隙間に挿入され易くなっている。
【００９１】
平角導線２８のリード側コイルエンド対応部位での各段の導線の、第１外側金型４４−１のフィン６２間の隙間への進入は、まず、その各段の導線の第二方向Ｙの略中央が第１フィン６２−１と第２フィン６２−２との隙間６４に進入することにより開始される。そしてその後、その進入は、各段の導線が第二方向Ｙの略中央から両外側にかけて順にフィン６２間の隙間に進入するように行われる。
【００９２】
平角導線２８のリード側コイルエンド対応部位での各段の導線は、両側のスロット対応部位間を斜めに繋いで渡ることで一段のレーン変更を行うように形成されている。一方、第１外側金型４４−１において、フィン６２の配置は、第１フィン６２−１と第２フィン６２−２との隙間６４により、同芯巻コイル１４のリード側コイルエンド部３４の第二方向Ｙの略中央をクランク形状に成形することで両側のスロット部３０，３２間で０．５段のレーン変更を実施できるように行われている。
【００９３】
このため、上記の進入が行われると、まず、平角導線２８のリード側コイルエンド対応部位での各段の導線の第二方向Ｙの略中央が、第１フィン６２−１の先端角部と第２フィン６２−２の先端角部とにより払いのけられ、第三方向Ｚに隣り合う第１フィン６２−１間の隙間と、第三方向Ｚに隣り合う第２フィン６２−２間の隙間と、を互いに繋ぐように嵌る。この場合、平角導線２８のリード側コイルエンド対応部位での各段の導線の第二方向Ｙの略中央は、第三方向Ｚに向けて段差が生じるようにクランク形状に曲げ加工される（クランク成形）。
【００９４】
また、各フィン６２はそれぞれ、第三方向Ｚにおいて湾曲しつつ互いに同芯上に配置されるように第１外側金型４４−１に取り付け固定される。このため、第１外側金型４４−１が第１内側金型４２−１に接近するように第一方向Ｘに向けてストローク移動されることで上記の進入が進行すると、平角導線２８のリード側コイルエンド対応部位の全体が、第三方向Ｚに隣り合う第１フィン６２−１間の隙間、及び、第三方向Ｚに隣り合う第２フィン６２−２間の隙間に嵌ることで、円環状のステータコア１２の円弧に合わせて湾曲するように円弧形状に曲げ加工される（円弧成形）。
【００９５】
更に、第１内側金型４２−１の加工面４６と第１外側金型４４−１の加工面５４とは、平角導線２８のリード側コイルエンド対応部位をエッジワイズ成形するのに適した形状に形成されている。このため、上記の進入が、平角導線２８のリード側コイルエンド対応部位が第１内側金型４２−１の凸面４８及び第１外側金型４４−１の凹面５６の双方に接する状態まで進行した後に更に進行すると、その平角導線２８のリード側コイルエンド対応部位の断面短辺側が第１内側金型４２−１の加工面４６と第１外側金型４４−１の加工面５４とにより第一方向Ｘに押圧されて挟持される（図１０）。この場合、平角導線２８のリード側コイルエンド対応部位の全体は、第三方向Ｚに直交するＸＹ面内において屈曲形状に曲げ加工される（エッジワイズ成形）。
【００９６】
また同様に、第２外側金型４４−２が第２内側金型４２−２に接近するように第一方向Ｘに向けてストローク移動される過程では、内側金型４２に保持された平角導線２８の反リード側コイルエンド対応部位での第三方向Ｚに並んだ各段の導線が、第２外側金型４４−２のフィン８４間の隙間に進入する。尚、かかるストローク移動の過程で、第２外側金型４４−２のフィン８４は、第２内側金型４２−２の貫通穴９６に挿入される。
【００９７】
上記の如く、各第３及び第４フィン８４−１，８４−２それぞれの、第４又は第３フィン８４−２，８４−１と隙間８６を介して対向する第二方向Ｙ側の先端部、及び、第２内側金型４２−２側に面する第一方向Ｘ側の先端部はそれぞれ、テーパ状に形成されている。このため、平角導線２８の反リード側コイルエンド対応部位での各段の導線は、第２外側金型４４−２のフィン８４の先端テーパ面によりフィン８４間の隙間に滑らかに進入するので、かかる隙間に挿入され易くなっている。
【００９８】
平角導線２８の反リード側コイルエンド対応部位での各段の導線の、第２外側金型４４−２のフィン８４間の隙間への進入は、まず、その各段の導線の第二方向Ｙの略中央が第３フィン８４−１と第４フィン８４−２との隙間８６に進入することにより開始される。そしてその後、その進入は、各段の導線が第二方向Ｙの略中央から両外側にかけて順にフィン８４間の隙間に進入するように行われる。
【００９９】
平角導線２８の反リード側コイルエンド対応部位での各段の導線は、両側のスロット対応部位間と同じ平面上に形成されている。一方、第２外側金型４４−２において、フィン８４の配置は、第３フィン８４−１と第４フィン８４−２との隙間８６により、同芯巻コイル１４の反リード側コイルエンド部３６の第二方向Ｙの略中央をクランク形状に成形することで両側のスロット部３０，３２間で０．５段のレーン変更を実施できるように行われている。
【０１００】
このため、上記の進入が行われると、まず、平角導線２８の反リード側コイルエンド対応部位での各段の導線の第二方向Ｙの略中央が、第３フィン８４−１の先端角部と第４フィン８４−２の先端角部とにより払いのけられ、第三方向Ｚに隣り合う第３フィン８４−１間の隙間と、第三方向Ｚに隣り合う第４フィン８４−２間の隙間と、を互いに繋ぐように嵌る。この場合、平角導線２８の反リード側コイルエンド対応部位での各段の導線の第二方向Ｙの略中央は、第三方向Ｚに向けて段差が生じるようにクランク形状に曲げ加工される（クランク成形）。
【０１０１】
また、各フィン８４はそれぞれ、第三方向Ｚにおいて湾曲しつつ互いに同芯上に配置されるように第２外側金型４４−２に取り付け固定される。このため、第２外側金型４４−２が第２内側金型４２−２に接近するように第一方向Ｘに向けてストローク移動されることで上記の進入が進行すると、平角導線２８の反リード側コイルエンド対応部位の全体が、第三方向Ｚに隣り合う第３フィン８４−１間の隙間、及び、第三方向Ｚに隣り合う第４フィン８４−２間の隙間に嵌ることで、円環状のステータコア１２の円弧に合わせて湾曲するように円弧形状に曲げ加工される（円弧成形）。
【０１０２】
更に、第２内側金型４２−２の加工面５０と第２外側金型４４−２の加工面５８とは、平角導線２８の反リード側コイルエンド対応部位をエッジワイズ成形するのに適した形状に形成されている。このため、上記の進入が、平角導線２８の反リード側コイルエンド対応部位が第２内側金型４２−２の凸面５２及び第２外側金型４４−２の凹面６０の双方に接する状態まで進行した後に更に進行すると、その平角導線２８の反リード側コイルエンド対応部位の断面短辺側が第２内側金型４２−２の加工面５０と第２外側金型４４−２の加工面５８とにより第一方向Ｘに押圧されて挟持される（図１０）。この場合、平角導線２８の反リード側コイルエンド対応部位の全体は、第三方向Ｚに直交するＸＹ面内において屈曲形状に曲げ加工される（エッジワイズ成形）。
【０１０３】
上記の如き平角導線２８のリード側コイルエンド対応部位及び反リード側コイルエンド対応部位のエッジワイズ成形が共に完了すると、次に、第１外側金型４４−１が第１内側金型４２−１から離間するように第一方向Ｘに向けてストローク移動され、かつ、第２外側金型４４−２が第２内側金型４２−２から離間するように第一方向Ｘに向けてストローク移動されると共に、第１内側金型４２−１と第２内側金型４２−２とが互いに接近するように第一方向Ｘに向けてストローク移動される。尚、第１外側金型４４−１のストローク移動と第２外側金型４４−２のストローク移動とは、略同時に行われるものとすればよい。
【０１０４】
かかるストローク移動がなされると、コイルエンド対応部位に、第三方向Ｚへのクランク形状の曲げ加工、第三方向Ｚへの円弧形状の曲げ加工、及び、第三方向Ｚに直交するＸＹ平面内における屈曲形状の曲げ加工がそれぞれ施された平角導線２８の、第１内側金型４２−１及び第２内側金型４２−２の外周面側への保持が解除されるので、以後、成形完了後の同芯巻コイル１４の取り出しが可能となる。
【０１０５】
このように、本実施例においては、成形装置４０を構成する内側金型４２と外側金型４４とをストローク移動させることで、複数の導線が積層された略六角形状の平角導線２８のコイルエンド対応部位に対してクランク成形、円弧成形、及びエッジワイズ成形を実施することができ、その結果として、複数の導線が積層された、コイルエンド部３４，３６が複数の相異なる非直線形状に形成された略六角形状の同芯巻コイル１４を成形することができる。
【０１０６】
かかる構成においては、略六角形状の平角導線２８から略六角形状の同芯巻コイル１４のコイルエンド部３４，３６を複数の相異なる非直線形状に成形するうえで、成形装置４０の内側金型４２及び外側金型４４を第一方向Ｘに向けて一ストローク移動させることとすれば十分である。また、同芯巻コイル１４のコイルエンド部３４，３６の積層方向各段それぞれの導線を略同時に複数の相異なる非直線形状に成形することができると共に、それらの各導線それぞれを複数の相異なる非直線形状に成形するうえで、成形装置４０の内側金型４２及び外側金型４４を第一方向Ｘに向けて一ストローク移動させることとすれば十分である。
【０１０７】
すなわち、成形装置４０の内側金型４２及び外側金型４４を第一方向Ｘに向けて一ストローク移動させる一工程で、略六角形状の平角導線２８のコイルエンド対応部位の積層方向各段それぞれの導線を一括して曲げ加工することで、複数の導線が積層された略六角形状の同芯巻コイル１４のコイルエンド部３４，３６の複数の相異なる非直線形状の成形を実現することができる。
【０１０８】
この点、本実施例の成形装置４０による成形手法によれば、略六角形状の平角導線２８からコイルエンド部３４，３６が複数の相異なる非直線形状に形成された略六角形状の同芯巻コイル１４を成形するのに、それら各非直線形状（具体的には、クランク状、円弧状、及び屈曲状）それぞれを成形するための金型や治具を別個独立して用意することは不要であり、複数の工程を設けること及び工程間の搬送設備などを別個設けることは不要である。
【０１０９】
このため、本実施例によれば、同芯巻コイル１４のコイルエンド部３４，３６を複数の相異なる非直線形状に成形するうえで、金型や治具などの設備の数や費用が増大するのを防止することができ、設備の設置スペースが増大するのを防止することができる。従って、本実施例によれば、コイルエンド部３４，３６が複数の相異なる非直線形状に形成される同芯巻コイル１４の成形を簡易な構成で実現することができる。
【０１１０】
また、本実施例によれば、同芯巻コイル１４のコイルエンド部３４，３６の、複数の相異なる非直線形状それぞれへの成形を略同時に行うことができるので、略六角形状の平角導線２８からコイルエンド部３４，３６が複数の相異なる非直線形状に形成される同芯巻コイル１４を成形するうえで、成形対象の平角導線２８の加工時間を短縮することができる。
【０１１１】
また、本実施例の成形装置４０による成形手法によれば、複数巻数周回された略六角形状の平角導線２８から、複数の導線が積層された、コイルエンド部３４，３６が複数の相異なる非直線形状に形成された略六角形状の同芯巻コイル１４を成形するのに、積層方向各段の導線を一つずつ曲げ加工することは不要である。このため、複数の導線が積層される同芯巻コイル１４を成形するうえで、成形対象の平角導線２８の加工時間を短縮することができる。
【０１１２】
更に、本実施例の成形装置４０による成形手法によれば、同芯巻コイル１４の両コイルエンド部３４，３６それぞれの、複数の相異なる非直線形状への成形を略同時に行うことができる。このため、同芯巻コイル１４の両コイルエンド部３４，３６それぞれを複数の相異なる非直線形状に成形するうえで、成形対象の平角導線２８の加工時間を短縮することができると共に、両コイルエンド部３４，３６の成形が別々のタイミングで行われることに伴う両コイルエンド部３４，３６を結ぶスロット部３０，３２などの変形を抑えることができる。
【０１１３】
このように、本実施例によれば、複数の導線が積層されかつコイルエンド部３４，３６が複数の相異なる非直線形状に形成される略六角形状の同芯巻コイル１４を成形するうえで、成形対象の平角導線２８の加工時間を大幅に短縮することができる。従って、かかる同芯巻コイル１４の成形を短時間で行うことができ、同芯巻コイル１４の生産性を向上させることができる。
【０１１４】
また、本実施例によれば、略六角形状の平角導線２８からコイルエンド部３４，３６が複数の相異なる非直線形状に形成された略六角形状の同芯巻コイル１４を成形する過程において、成形対象である平角導線２８の、金型や治具からの着脱を、複数の相異なる非直線形状それぞれの成形工程間で繰り返すことは不要である。このため、成形対象の平角導線２８に、金型や治具からの着脱の繰り返しに起因して傷が付き易くなるのを防止することができ、その結果として、同芯巻コイル１４の品質低下を抑止することができる。
【０１１５】
また、本実施例においては、平角導線２８のコイルエンド対応部位での各段の導線の、外側金型４４のフィン６２間及びフィン８４間への進入は、まず、その各段の導線の第二方向Ｙの略中央がフィン６２の隙間６４及びフィン８４の隙間８６に進入することにより開始される。そしてその後、その進入は、第二方向Ｙの略中央から両外側にかけて順にフィン６２間の隙間及びフィン８４間の隙間に進入するように行われる。
【０１１６】
かかる構成においては、平角導線２８のコイルエンド対応部位の曲げ加工が、そのコイルエンド対応部位の第二方向Ｙの中央側から両外側に向けて進行する。このため、本実施例によれば、上記した平角導線２８の曲げ加工がコイルエンド対応部位の第二方向Ｙの両外側から中央側に向けて進行する構成と異なり、平角導線２８のコイルエンド対応部位の第二方向Ｙの略中央に所望のクランク形状を形成するうえで余分な導線が集まるのを防止することができる。従って、同芯巻コイル１４のコイルエンド部３４，３６を複数の相異なる非直線形状に成形するうえでその成形精度を向上させることができる。
【０１１７】
また、本実施例において、同芯巻コイル１４のコイルエンド部３４，３６のエッジワイズ成形は、クランク成形及び円弧成形が行われた後に行われ、積層方向各段の平角導線２８がフィン６２，８４間に挟まれた状態で行われる。この点、エッジワイズ成形時に、特にクランク成形及び円弧成形が完了したコイル部位が変形するのを抑えることができるので、同芯巻コイル１４の成形を精度良く行うことができる。
【０１１８】
更に、本実施例においては、成形装置４０の内側金型４２及び外側金型４４が一ストローク移動されることで略六角形状の平角導線２８から略六角形状の同芯巻コイル１４が成形される過程で、まず、平角導線２８のコイルエンド対応部位での各段の導線の第二方向Ｙの略中央が外側金型４４のフィン６２−１とフィン６２−２との隙間６４及びフィン８４−１とフィン８４−２との隙間８６に嵌ることにより、そのコイルエンド対応部位の第二方向Ｙの略中央が第三方向Ｚに向けて段差が生じるようにクランク形状に曲げ加工されるクランク成形が行われる。
【０１１９】
そして、上記のクランク成形が開始された後、内側金型４２及び外側金型４４のストローク移動の進行によってコイルエンド対応部位の各段の導線が第二方向Ｙの略中央から両外側にかけて順にフィン６２間の隙間及びフィン８４間の隙間に進入して嵌ることにより、そのコイルエンド対応部位の全体が円環状のステータコア１２の円弧に合わせて第三方向Ｚに向けて湾曲するように円弧形状に曲げ加工される円弧成形が行われる。
【０１２０】
次に、そのクランク成形及び円弧成形が完了した後、内側金型４２及び外側金型４４のストローク移動の進行によってコイルエンド対応部位の断面短辺側が内側金型４２及び外側金型４４の加工面４６，５０，５４，５８により挟持されることにより、そのコイルエンド対応部位の全体が第三方向Ｚに直交するＸＹ平面内において屈曲形状に曲げ加工されるエッジワイズ成形が行われる。
【０１２１】
本実施例において、外側金型４４に取り付け固定されたフィン６２，８４それぞれの第一方向Ｘ側の先端は、その外側金型４４の、内側金型４２側の端部（すなわち、凹面５６，６０及び加工面５４，５８の全体の内側金型４２側の端部）よりもその内側金型４２寄りの前方に位置する。かかる構造によれば、同芯巻コイル１４のコイルエンド部３４，３６のクランク成形及び円弧成形それぞれの開始タイミングとエッジワイズ成形の開始タイミングとの差を広げること、すなわち、クランク成形及び円弧成形それぞれの開始からエッジワイズ成形の開始までの時間を稼ぐことができる。このため、本実施例によれば、エッジワイズ成形の開始までにクランク成形及び円弧成形の工程をより進行させることができ、エッジワイズ成形の開始時における平角導線２８のコイルエンド対応部位の形状を所望のクランク形状及び円弧形状により近づけることができる。
【０１２２】
また、本実施例において、同芯巻コイル１４のコイルエンド部３４，３６のエッジワイズ成形は、クランク成形及び円弧成形それぞれが共に完了した後に開始される。具体的には、平角導線２８のコイルエンド対応部位のクランク成形及び円弧成形によってその平角導線２８の両側のスロット対応部位間の距離（幅）が成形完了後の同芯巻コイル１４の両側のスロット部３０，３２間の距離（幅）に略一致した以後に、その平角導線２８のコイルエンド対応部位が外側金型４４の凹面５６，６０の加工面５４，５８に接触されて両加工面５４，５８の挟持によるエッジワイズ成形が開始される。
【０１２３】
かかる構成によれば、平角導線２８のコイルエンド対応部位が外側金型４４の凹面５６，６０の加工面５４，５８に接触されてエッジワイズ成形が開始されるときの平角導線２８の両側のスロット対応部位間の距離（幅）を、成形開始前の平角導線２８の両側のスロット対応部位間の距離（幅）に対してできるだけ小さくすること、具体的には、成形完了後の同芯巻コイル１４の両側のスロット部３０，３２間の距離（幅）に略一致させることができる。
【０１２４】
外側金型４４の凹部は、成形完了後の同芯巻コイル１４のコイルエンド部３４，３６及びステータスロットに収容される両側のスロット部３０，３２の形状を模した横幅を有するように（すなわち、凹面５６，６０の第二方向Ｙの両側壁間の距離が成形完了後の両側のスロット部３０，３２の外側端同士の離間する距離に略等しくなるように）形成されている。
【０１２５】
従って、本実施例によれば、略六角形状の平角導線２８から略六角形状の同芯巻コイル１４が成形される過程で、平角導線２８が外側金型４４の凹部に嵌るときに、その平角導線２８のコイルエンド対応部位と両側のスロット部との境界付近の肩部の外周側の断面短辺側が、外側金型４４の凹面５６，６０の側壁や角部に接触し易くなるのを防止することができ、その平角導線２８の肩部の外周側と外側金型４４とのが過大な力で接触するのを抑制することができる。このため、本実施例によれば、同芯巻コイル１４の成形工程中に、外側金型４４との接触に起因した平角導線２８の肩部の皮膜剥がれや損傷を防止することができる。
【０１２６】
尚、上記の実施例においては、外側金型４４が特許請求の範囲に記載した「外型」に、平角導線２８の、同芯巻コイル１４のコイルエンド部３４，３６に対応するコイルエンド対応部位が特許請求の範囲に記載した「対応部位」に、内側金型４２が特許請求の範囲に記載した「内型」に、移動機構１００，１０６が特許請求の範囲に記載した「外型移動機構」に、移動機構１０２，１０４が特許請求の範囲に記載した「内型移動機構」に、それぞれ相当している。
【０１２７】
ところで、上記の実施例においては、同芯巻コイル１４のコイルエンド部３４，３６のエッジワイズ成形を、クランク成形及び円弧成形それぞれが開始された後かつそれらのクランク成形及び円弧成形が共に完了した以後に開始する。しかし、本発明は、厳密には、エッジワイズ成形をクランク成形及び円弧成形が共に完了した以後に開始するものに限定されるものではなく、クランク成形及び円弧成形が共にほぼ完了した以後に開始するものであってもよい。すなわち、クランク成形及び円弧成形が完全には完了していなくても、そのクランク成形及び円弧成形によって、エッジワイズ成形が開始されるときの平角導線２８の両側のスロット対応部位間の距離（幅）が、成形完了後の同芯巻コイル１４の両側のスロット部３０，３２間の距離（幅）に略一致した時点で、エッジワイズ成形を開始するものであってもよい。
【０１２８】
また、上記の実施例においては、略六角形状の平角導線２８からコイルエンド部３４，３６が複数の相異なる非直線形状に形成された略六角形状の同芯巻コイル１４を成形する過程で、第１内側金型４２−１と第１外側金型４４−１とをそれぞれ、互いに接近させてその平角導線２８のリード側コイルエンド対応部位を第一方向Ｘにおいて（内外で）挟むように第一方向Ｘ（通常方向）に向けてストローク移動させ、かつ、第２内側金型４２−２と第２外側金型４４−２とをそれぞれ、互いに接近させてその平角導線２８の反リード側コイルエンド対応部位を第一方向Ｘにおいて（内外で）挟むように第一方向Ｘ（通常方向）に向けてストローク移動させる。また、第１外側金型４４−１と第２外側金型４４−２とを略同時にストローク移動させる。
【０１２９】
上記の過程において、第１外側金型４４−１と第２外側金型４４−２とは、移動機構１００，１０６により、互いに接近するように第一方向Ｘの通常方向にストローク移動される。かかるストローク移動がなされると、平角導線２８の両側のコイルエンド対応部位が、第１外側金型４４−１に取り付けられたフィン６２間及び第２外側金型４４−２に取り付けられたフィン８４間に嵌って曲げ加工されることで、平角導線２８の両側のコイルエンド対応部位それぞれに対して、各段の導線の第二方向Ｙの略中央のクランク成形が行われると共に、円弧成形が行われる。
【０１３０】
上記の如くフィン６２，８４を用いたクランク成形及び円弧成形の際、平角導線２８の両側のコイルエンド対応部位は、外側のフィンとの摩擦により、互いに接近するように第一方向Ｘの内側に向けて押圧される。このように平角導線２８の両側のコイルエンド対応部位の押圧がなされると、その平角導線２８の両側のコイルエンド対応部位に挟まれたスロット対応部位が第二方向Ｙに変形して膨らむおそれがある。
【０１３１】
これに対して、上記の実施例においては、移動機構１００，１０６により第１外側金型４４−１と第２外側金型４４−２とが互いに接近するように第一方向Ｘの内側に向けてストローク移動されると共に、略同時に、移動機構１０２，１０４により第１内側金型４２−１と第２内側金型４２−２とが互いに離間するように第一方向Ｘの外側に向けてストローク移動される。
【０１３２】
外側金型４４−１，４４−２同士が接近するようにストローク移動される際に内側金型４２−１，４２−２同士が離間するようにストローク移動されれば、その平角導線２８の両側のコイルエンド対応部位（特に、その第二方向Ｙの略中央）やスロット対応部位（特に、コイルエンド対応部位との境界付近）が内側金型４２−１，４２−２の加工面４６，４７，５０，５１に接触しながらその平角導線２８の両側のコイルエンド対応部位が互いに離間するように第一方向Ｘの外側に引き伸ばされる。このため、かかる構成によれば、クランク成形時や円弧成形時に平角導線２８の両側のコイルエンド対応部位に挟まれたスロット対応部位が第二方向Ｙに変形して膨らむのを防止することができる。
【０１３３】
ここで、断面矩形状の平角導線２８は、円弧成形開始前は、各段導線の積層方向に向けて湾曲していないので、両側のスロット対応部位の各段の導線が第二方向Ｙに対して水平に保たれたものであるが、円弧成形開始後は、各段導線の積層方向に向けて湾曲するので、両側のスロット対応部位の各段の導線が第二方向Ｙに対して傾いたものとなる。すなわち、断面矩形状の平角導線２８が円弧成形されると、その平角導線２８は、両側のスロット対応部位の各段の導線が第二方向Ｙに対して水平に保たれた状態から、第三方向Ｚに若干移動すると共に傾いた状態へ変形する。
【０１３４】
しかし、平角導線２８の円弧成形の過程で、その開始から完了まで、内側金型４２−１，４２−２が互いに離間するようにすなわち対をなす外側金型４４−１，４４−２に接近するように外側に向けてストローク移動されることが継続するものとすると、以下の不都合が生ずる。具体的には、平角導線２８の上記した円弧成形による変形が、平角導線２８の両側のコイルエンド対応部位及びスロット対応部位が内側金型４２−１，４２−２の加工面４６，４７，５０，５１に接触しながら第一方向Ｘの外側に引き伸ばされつつ進行する。このため、その変形中に平角導線２８の内周側が、内側金型４２−１，４２−２の加工面４６，４７，５０，５１（特に、平角導線２８のコイルエンド対応部位とスロット対応部位との境界）付近に形成された角部（すなわち、フィン状部８３，９７の角部）に対して、第三方向Ｚに相対移動して擦ることで、平角導線２８の損傷や皮膜剥がれが発生するおそれがある。
【０１３５】
そこで、本変形例の成形装置４０においては、内側金型４２−１，４２−２が互いに離間するようなすなわち対をなす外側金型４４−１，４４−２に接近するようなストローク移動が開始されて平角導線２８の円弧成形が開始されてから完了するまでの間の中途タイミングで、それらの内側金型４２−１，４２−２が互いに接近するようなすなわち対をなす外側金型４４−１，４４−２から離間するような、通常方向とは反対方向のストローク移動（後退移動）が行われる。尚、上記の如き内側金型４２−１，４２−２の通常方向とは反対方向のストローク移動が行われるときにも、外側金型４４−１，４４−２の互いに接近するような第一方向Ｘへのストローク移動は通常どおり継続されるものとすればよい。
【０１３６】
上記した反対方向のストローク移動の移動量は、少なくとも内側金型４２−１，４２−２と平角導線２８との接触が解消されるものであれば十分である。また、上記した反対方向のストローク移動が開始される中途タイミングは、平角導線２８の両側のコイルエンド対応部位に挟まれたスロット対応部位が第二方向Ｙに変形して膨らむのを防止した後、平角導線２８が両側のスロット対応部位の各段の導線が第二方向Ｙに対して水平に保たれた状態から傾いた状態へ変形するタイミングであればよく、更に好ましくは、その平角導線２８の変形が最も生じ易いタイミングであるのがよい。
【０１３７】
かかる変形例の構成においては、円弧成形時、平角導線２８が両側のスロット対応部位の各段の導線が第二方向Ｙに対して水平に保たれた状態から第三方向Ｚに移動して傾いた状態へ変形する直前に、その平角導線２８の内周側が内側金型４２−１，４２−２の加工面４６，４７，５０，５１付近の角部に対して接触していても、その変形（円弧成形）が行われるときに、平角導線２８の内周側と内側金型４２−１，４２−２の加工面４６，４７，５０，５１とを互いに離すことができ、平角導線２８の内周側が内側金型４２−１，４２−２の加工面４６，４７，５０，５１付近の角部に対して接触して擦るのを回避させることができる。従って、この変形例の構成によれば、平角導線２８の円弧成形時に、内側金型４２−１，４２−２の角部に擦ることに起因した平角導線２８の損傷や皮膜剥がれを防止することができる。
【０１３８】
尚、上記した反対方向のストローク移動は一時的なものであればよい。この場合は、その反対方向のストローク移動が終了した後に、再度、内側金型４２−１，４２−２が互いに離間するようなすなわち対をなす外側金型４４−１，４４−２に接近するような通常方向のストローク移動が行われるものとすればよい。円弧成形において平角導線２８が両側のスロット対応部位の各段の導線が第二方向Ｙに対して水平に保たれた状態から傾いた状態へ変形した後或いはその変形が略完了した後、内側金型４２−１，４２−２の互いに離間するようなすなわち対をなす外側金型４４−１，４４−２に接近するような通常方向のストローク移動が再開されれば、平角導線２８と内側金型４２−１，４２−２とが接触することとなるが、その後はその平角導線２８に円弧成形に伴う変形はほとんど発生しないので、平角導線２８の損傷や皮膜剥がれを防止しつつ、その後のエッジワイズ成形などを適切に行うことが可能となる。
【符号の説明】
【０１３９】
１０  ステータ
１２  ステータコア
１４  ステータコイル（同芯巻コイル）
２８  平角導線
３０，３２  スロット部
３４，３６  コイルエンド部
４０  成形装置
４２，４２−１，４２−２  内側金型
４４，４４−１，４４−２  外側金型
６２，６２−１，６２−２，８４，８４−１，８４−２  フィン
４６，５０，５４，５８  加工面
１００，１０２，１０４，１０６  移動機構
１１０  コントローラ
【図１】
2015070760.tif 000003
【図２】
2015070760.tif 000004
【図３】
2015070760.tif 000005
【図４】
2015070760.tif 000006
【図５】
2015070760.tif 000007
【図６】
2015070760.tif 000008
【図７】
2015070760.tif 000009
【図８】
2015070760.tif 000010
【図９】
2015070760.tif 000011
【図１０】
2015070760.tif 000012
【図１１】
2015070760.tif 000013